(57)【特許請求の範囲】
【請求項１】
裏面層の上に、縦方向に延びる両側縁を有する吸収層が設置された生理用吸収製品において、
前記吸収層上には、前記吸収層の一方の側縁から中央に延びる第１のシートで形成される第１の立体壁と、前記吸収層の他方の側縁から中央に延びる第２のシートで形成される第２の立体壁とが設けられ、
前記第１のシートおよび第２のシートは、前記中央に位置する第１の固定端および第２の固定端で前記吸収層表面に接合されており、
前記第１の立体壁と第２の立体壁は、吸収層の中心を挟んで互いに対称形状であり、前記第１の立体壁と第２の立体壁には、それぞれ前記第１の固定端および第２の固定端から立ち上がり、前記第１のシートおよび第２のシートが少なくとも一部で接合されている起立壁と、前記起立壁から吸収層の前記側縁に向けて外側へ曲げられて、自由端が前記固定端よりも吸収層の側縁側に位置する肌当接部とが設けられ、少なくとも前記肌当接部の上面が液透過性材料で形成されており、
前記第１の立体壁および第２の立体壁には、前記縦方向に延びる弾性部材が設けられて、この弾性部材から前記第１の立体壁および第２の立体壁に縦方向に沿う弾性収縮力が作用し、前記自由端が前記吸収層から離れる方向へ前記第１の立体壁および第２の立体壁が立ち上がり可能とされていることを特徴とする生理用吸収製品。
【請求項２】
前記第１のシートおよび第２のシートはそれぞれ２つ重ねに折られており、折り返し部が前記自由端である請求項１記載の生理用吸収製品。
【請求項３】
前記第１の立体壁の固定端と、前記第２の立体壁の固定端との対向距離が、前記吸収層の前記側縁間の距離の１／２以下である請求項１または２に記載の生理用吸収製品。
【請求項４】
前記肌当接部と前記起立壁の少なくとも一方の内部に親水性材料層が設けられている請求項１ないし３のいずれかに記載の生理用吸収製品。
【請求項５】
前記第１の立体壁の起立壁と、前記第２の立体壁の起立壁との間に親水性材料層が挟まれている請求項１ないし３のいずれかに記載の生理用吸収製品。
【発明の詳細な説明】
【０００１】
【発明の属する技術分野】
本発明は、経血を吸収する生理用吸収製品に係り、特に身体に密着でき、体の動きによる位置ずれが生じにくい生理用吸収製品に関する。
【０００２】
【従来の技術】
生理用ナプキンは、その本体部が、液不透過性の裏面層と、液透過性の表面層と、前記裏面層と前記表面層との間に設けられた吸収層とを有している。また通常は、前記裏面層の外面に粘着層が設けられており、前記粘着層を下着に粘着させることで、下着に対する生理用ナプキンのずれ止めができるようになっている。
【０００３】
前記生理用ナプキンには、その吸収領域の中央部に凸部を形成し、身体の局部に前記凸部を密着させることで、局部への密着性を高めようとしているものがある。
【０００４】
吸収領域の中央部に凸部が形成された従来の生理用ナプキンとしては、実開平５−３３７２１号公報に開示されたものや、特表平１０−５０４４８６号公報に開示されたものがある。これらは、いずれも生理用ナプキンの受液側の中央部に吸液能力を有する凸部が固定されており、この凸部を身体の局部に密着させることで、経血の捕捉能力を高めている。
【０００５】
【発明が解決しようとする課題】
しかし、前記従来の生理用ナプキンは、凸部が生理用ナプキンの本体の受液側に自由度を有することなく固定されているものであるため、裏面層の外面を粘着層で下着の内側に固着させた場合に、下着が身体から位置ずれし、下着と一緒に生理用ナプキンが位置ずれしたときに、前記凸部が身体の局部から離れやすい。
【０００６】
特に身体への緊迫力の弱い下着を着用し、この下着に前記粘着層により生理用ナプキンを固着しているときには、歩行時または就寝時などに、下着が股間部から離れたときに前記凸部も一緒に股間部から浮いてしまい、凸部と局部との密着性が低下しやすい。
【０００７】
また従来の生理用ナプキンでは、前記凸部が親水性の繊維層を主体として構成されているため、湿潤時に前記凸部の弾性復元力が低下しやすい。そのため、前記凸部が液を吸収した状態で身体からの装着圧力を受けると収縮しやすく、その結果、下着と共に生理用ナプキンが局部から位置ずれしたときに、凸部が局部と密着するだけの弾性復元力を発揮できずに、局部から離れやすい。
【０００８】
また親水性の繊維層で形成された前記凸部は、液を吸収して身体との装着圧力で押しつぶされたときに塊状になりやすく、塊状となった凸部の剛直感が、身体に対して違和感を与えやすくなる。
【０００９】
さらに、従来の生理用ナプキンは、前記のように裏面層を粘着層を介して下着に固着させ、下着と一体化させるものであり、生理用ナプキンを局部に一体感を持って装着させるという構造ではない。したがって生理用ナプキンと局部とが位置ずれするのを避けることができず、下着と身体との間で吸収層や裏面層を広い面積で介在させる必要があり、よって、生理用ナプキンが比較的大きなものとなっている。
【００１０】
本発明は上記従来の課題を解決するものであり、身体の局部に当たる部分が本体に対して自由度を有し、且つ前記部分が局部に密着しやすくなって、装着感が良好で且つ経血を吸収層で確実に捕捉できるようにした生理用吸収製品を提供することを目的としている。
【００１１】
また本発明は、吸収製品を局部と一体感をもって着用できるようにして、局部との位置ずれを生じないようにした生理用吸収製品を提供することを目的としている。
【００１２】
【課題を解決するための手段】
本発明は、裏面層の上に、縦方向に延びる両側縁を有する吸収層が設置された生理用吸収製品において、
前記吸収層上には、前記吸収層の一方の側縁から中央に延びる第１のシートで形成される第１の立体壁と、前記吸収層の他方の側縁から中央に延びる第２のシートで形成される第２の立体壁とが設けられ、
前記第１のシートおよび第２のシートは、前記中央に位置する第１の固定端および第２の固定端で前記吸収層表面に接合されており、
前記第１の立体壁と第２の立体壁は、吸収層の中心を挟んで互いに対称形状であり、前記第１の立体壁と第２の立体壁には、それぞれ前記第１の固定端および第２の固定端から立ち上がり、前記第１のシートおよび第２のシートが少なくとも一部で接合されている起立壁と、前記起立壁から吸収層の前記側縁に向けて外側へ曲げられて、自由端が前記固定端よりも吸収層の側縁側に位置する肌当接部とが設けられ、少なくとも前記肌当接部の上面が液透過性材料で形成されており、
前記第１の立体壁および第２の立体壁には、前記縦方向に延びる弾性部材が設けられて、この弾性部材から前記第１の立体壁および第２の立体壁に縦方向に沿う弾性収縮力が作用し、前記自由端が前記吸収層から離れる方向へ前記第１の立体壁および第２の立体壁が立ち上がり可能とされていることを特徴とするものである。
【００１８】
前記において、前記第１の立体壁の固定端と、前記第２の立体壁の固定端との対向距離が、前記吸収層の前記側縁間の距離の１／２以下であることが好ましい。
【００２０】
また、前記肌当接部と前記起立壁の少なくとも一方の内部に親水性材料層が設けられているもの、前記第１の立体壁の起立壁と、前記第２の立体壁の起立壁との間に親水性材料層が挟まれているものであってもよい。
【００２６】
【発明の実施の形態】
以下、本発明について図面を参照して説明する。図１は、参考例として生理用吸収製品１を受液側から示す斜視図、図２は図１のＩＩ−ＩＩ線の断面図、図３は図１のＩＩＩ−ＩＩＩ線の断面図である。
【００２７】
また、図４および図５は他の参考例を示す図２に相当する断面図である。
【００２８】
図１ないし図３に示す生理用吸収製品１は、縦方向に延びる両側縁１ａ，１ｂと、前縁１ｃおよび後縁１ｄを有している。下着などの外部装着体に対面する液不透過性の裏面層２の大きさは、生理用吸収製品１の全体の大きさと一致している。前記裏面層２の上に吸収層３が重ねられている。前記吸収層３は、縦方向に延びる両側縁３ａ，３ｂおよび、前縁３ｃおよび後縁３ｄを有しており、前記裏面層２よりも一回り小さい形状である。そして前記吸収層３が設けられている領域が液吸収領域４である。
【００２９】
図２の横断面図に示すように、前記吸収層３の両側縁３ａ，３ｂと、生理用吸収製品１の両側縁１ａ，１ｂとの間に側部フラップ５，５が形成されており、吸収層の前縁３ｃおよび後縁３ｄと、生理用吸収製品１の前縁１ｃおよび後縁１ｄとの間に、前後フラップ６，６が形成されている。
【００３０】
前記生理用吸収製品１の表面には、透液性シート８が設けられている。図１に示すように、前記吸収層３が設けられた液吸収領域４の上において、縦方向の長さＬで示す領域には、前記透液性シート８で形成された立体壁１０が形成されている。図２に示すように、前記領域Ｌでは、前記吸収層３の一方の側縁３ａから中央に向けて所定距離に離れた位置に第１の固定端１１ａが設けられ、吸収層３の他方の縁部３ｂから中央に向けて所定距離れた位置に第２の固定端１１ｂが設けられており、前記第１の固定端１１ａと第２の固定端１１ｂとの間に延びる前記透液性シート８により前記立体壁１０が形成されている。
【００３１】
前記第１の固定端１１ａと第２の固定端１１ｂは、生理用吸収製品１の縦方向に延びる中心線Ｏ−Ｏを中心として、左右対称位置に設けられている。そして、前記第１の固定端１１ａと第２の固定端１１ｂでは、前記透液性シート８と吸収層３の上面とが、前記中心線Ｏ−Ｏと平行な連続線、または間欠線の部分でホットメルト接着剤で接着され、または熱融着されている。
【００３２】
前記透液性シート８は、前記吸収層３の一方の側縁３ａから第１の固定端１１ａに至る部分、および前記透液性シート８の、前記吸収層３の他方の側縁３ｂから第２の固定端１１ｂに至る部分が、吸収層３の表面を覆う表面層８ａとなっている。
【００３３】
また、前記透液性シート８は、吸収層３の両側縁３ａ，３ｂから左右両側へ延出する部分が延長部８ｂ，８ｂとなっている。前記裏面層２も、前記吸収層３の両側縁３ａ，３ｂから左右両側へ延出する部分が、延長部２ａ，２ａとなっており、前記側部フラップ５，５では、前記裏面層２の延長部２ａ，２ａと、前記表面層８の延長部８ｂ，８ｂとが、ホットメルト型接着剤などで接着されている。
【００３４】
また、前記前後フラップ６，６においても、裏面シート２の前記吸収層３の前縁３ｃおよび後縁３ｄから延びる延長部と、透液性シート８の前記吸収層３の前縁３ｃおよび後縁３ｄから延びる延長部とがホットメルト型接着剤により接着されている。
【００３５】
前記領域Ｌに設けられた立体壁１０は、図２の断面図において、前記中心線Ｏ−Ｏを挟んで左右対称形状である。前記立体壁１０には、前記透液性シート８が、前記第１の固定端１１ａから立ち上がる起立壁１２ａと、前記第２の固定端１１ｂから立ち上がる起立壁１２ｂとが形成されている。前記透液性シート８は、前記起立壁１２ａと起立壁１２ｂの上部から中心線Ｏ−Ｏに対して左右対称方向に延びている。
【００３６】
そして、前記立体壁１０は断面がＴ字形状となり、左右両側の自由端１２ｃ，１２ｄが、前記第１の固定端１１ａおよび第２の固定端１１ｂよりも、側縁３ａ，３ｂ側に位置し、前記自由端１２ｃと１２ｄとの間の部分が帯状の肌当接部１２ｅとなっている。この肌当接部１２ｅの上面は、自由端１２ｃと自由端１２ｄとの間に渡された前記透液性シート８で形成されているため、前記肌当接部１２ｅの上面は透液性である。
【００３７】
図１に示す領域Ｌの前後端、すなわち前記立体壁１０の前端１０ｃと、生理用吸収製品１の前縁１ｃとの間、および前記立体壁１０の後端１０ｄと、生理用吸収製品１の後縁１ｄとの間の領域においては、図３に示すように、前記透液性シート８により偏平な折り畳み部８ｃが形成されており、この折り畳み部８ｃの面全体が、前記吸収層３の表面に接着され、また前後フラップ６，６では、前記折り畳み部８ｃが、前記裏面層２の上面に接着されている。
【００３８】
また、図２に示す前記立体壁１０および図３に示す折り畳み部８ｃでは、前記透液性シート８の折り畳み部に、糸状または帯状などの形態の複数の弾性部材１３が挟まれて接着されている。図２に示す立体壁１０では、少なくとも前記肌当接部１２ｅに弾性部材１３が設けられており、また前記弾性部材１３は、前記肌当接部１２ｅの自由端１２ｃ，１２ｄに平行に設けられている。
【００３９】
前記弾性部材１３は所定長伸ばされた状態で前記透液性シート８に接合されている。したがって生理用吸収製品１に外力が作用していない自由状態では、前記弾性部材１３の弾性収縮力によって、図１に示すように、前記前端１０ｃと後端１０ｄが互いに接近する方向へ弾性的に引かれ、その結果、生理用吸収製品１は裏面層２が外方へ凸状となるように湾曲変形する。この湾曲変形状態となる結果、前記立体壁１０の肌当接部１２ｅの自由端１２ｃと１２ｄが表面層８ａから離れ、前記領域Ｌでは、立体壁１０がＴ字状態に立ち上がる。
【００４０】
図４と図５に示す参考例は、図１ないし図３に示すものと生理用吸収製品１全体の基本構造が同じであり、前記領域Ｌに設けられた立体壁の構造が、図２に示す立体壁１０と相違している。
【００４１】
図４に示す立体壁１０Ａでは、第１の固定端１１ａと第２の固定端１１ｂから立ち上がる起立壁１２ａおよび１２ｂが互いに接合されており、この接合部に複数の弾性部材１４が介在している。そして、肌当接部１２ｅでは、自由端１２ｃと１２ｄの内側部分に前記弾性部材１３が設けられている。
【００４２】
この生理用吸収製品１では、前記弾性部材１３および弾性部材１４の双方の弾性収縮力によって生理用吸収製品１が湾曲形状とされ、前記領域Ｌにおいて立体壁１０ＡがＴ字状に立ち上がる。
【００４３】
また、前記肌当接部１２ｅでは、透液性シート８の間に親水性材料層１５が挟まれている。前記親水性材料層１５は、吸液能力および液保持能力を有するものであって、前記液透過シート８よりも単位面積当たりの液の保持量が多いものが好ましく、前記保液能力を有し且つ肌への接触感が軟質であれば、厚みは任意に選択できる。例えば、前記親水性材料層１５は、ティッシュペーパ、エアレイドパルプ、コットンシート、などで形成される。あるいは疎水性の合成樹脂繊維、または親水処理された合成樹脂繊維で形成された液透過能力に優れたものを親水性材料層１５としてもよい。
【００４４】
図５に示す参考例では、裏面シート２の上に吸収層３が設置され、その上に透液性シート１７が重ねられている。前記透液性シート１７は、両側縁３ａと３ｂとの間で吸収層３を覆う表面層１７ａが形成されている。また透液性シート１７は、前記両側縁３ａと３ｂから両外側に延びる延長部１７ｂ，１７ｂを有しており、側部フラップ５，５において、前記裏面層２の延長部２ａ，２ａと前記延長部１７ｂ，１７ｂとがホットメルト型接着剤で接着されている。
【００４５】
そして、立体壁１０Ｂを形成する透液性シート１８が、前記表面層１７ａの上に設けられている。前記立体壁１０Ｂを構成する透液性シート１８は、前記表面層１７ａを形成する透液性シート１７に接合された第１の固定端１１ａおよび第２の固定端１１ｂから立ち上がる起立壁１２ａ，１２ｂを有しているが、この起立壁１２ａ，１２ｂは、その上端で互いに接合された接合部１２ｆを有している。そして、この接合部１２ｆの上に、両側に自由端１２ｃと１２ｄを有する帯状の肌当接部１２ｅが設けられている。
【００４６】
前記図１ないし図３に示した生理用吸収製品１および、および図４と図５に示す参考例の生理用吸収製品１は、いずれも裏面層２の外面（図示下側の面）に粘着層を設けることで、下着などの外部装着体の内面に粘着させ固定させて、従来の生理用ナプキンと同様にして使用することができる。前記裏面層２を前記粘着層を介して下着の内面に固着させ、前記下着を身体に装着することにより、生理用吸収製品１は、受液側が身体の局部に当てられるように着用される。
【００４７】
装着状態では、Ｔ字形状に立ち上がろうとしている前記立体壁１０，１０Ａ，１０Ｂの肌当接部１２ｅが局部に密着し、さらに吸収層３が身体に押し付けられ、起立壁１２ａ，１２ｂが撓んで肌当接部１２ｅと、表面層８ａまたは１７ａがほぼ密着した状態になる。ただし、前記立体壁１０，１０Ａ，１０Ｂの肌当接部１２ｅは弾性部材１３（および１４）の弾性力により、常に表面層８ａまたは１７ａから離れる方向へ弾圧されているため、肌当接部１２ｅは常に局部に密着した状態を維持できる。
【００４８】
よって緊迫力の弱い下着を着用しているようなときに、下着が位置ずれし、粘着層を介して前記下着に固着されている前記裏面層２が横方向へ位置ずれしても、起立壁１２ａ，１２ｂの自由変形により、肌当接部１２ｅは常に局部に当接した状態を維持できる。
【００４９】
局部から排泄された経血は、肌当接部１２ｅを透過し、さらに表面層８ａまたは１７ａを透過して吸収層３に吸収される。前記のように、下着と共に裏面層２が横方向へ動き、これとともに吸収層３が横方向へずれたとしても、前記肌当接部１２ｅが局部に密着しているため、経血は肌当接部１２ｅから起立壁１２ａ，１２ｂを透過し、さらに表面層８ａまたは１７ａを透過して吸収層３に至ることができ、よって生理用吸収製品１の側方への経血の横漏れが生じにくい。
【００５０】
また、図１に示すように、立体壁１０，１０Ａ，１０Ｂが形成されている領域Ｌを縦方向に長く形成しておくと、前記肌当接部１２ｅが局部の陰唇付近に密着するとともに、臀部の隙間にも密着するようになり、就寝時などの臀部方向への経血の洩れを抑制できる。
【００５１】
また、肌当接部１２ｅを透過して、経血は主に吸収層３により吸収されるが、吸収層３が湿潤状態になって剛直状態となっても、局部には立体壁１０，１０Ａ１０，１０Ｂの肌当接部１２ｅが密着しているため、吸収層３の剛直感が局部に直接に伝わりにくく、装着感を損なうことがない。
【００５２】
また図４に示す参考例では、肌当接部１２ｅに親水性材料層１５が設けられて、この親水性材料層１５もある程度の吸液能力および液保持能力を有している。好ましくは、前記親水性材料層１５を吸収層３に比べて薄いものにしておくと、または前記吸収層３に比べて軟質なものとしておくと、肌当接部１２ｅが剛直感を生じなくなり、肌への接触感触が良好になる。
【００５３】
なお、図２、図３、図４に示す構造において、吸収層３の上に図５に示すような透液性シート１７が設置されて表面層１７ａが形成され、この透液性シート１７の上に、立体壁１０，１０Ａを形成する透液性シート８が、固定端１１ａ，１１ｂにより接合されていてもよい。
【００５４】
また、図２、図４、図５に示す参考例において、起立壁１２ａ，１２ｂの内部、すなわち起立壁１２ａを形成するシートと、起立壁１２ｂを形成するシートとの間に、前記親水性材料層１５と同じ親水性材料層が挟まれていてもよい。親水性材料層が起立壁１２ａ，１２ｂの内部に設けられているものはこの親水性材料層でも経血の吸収能力を若干有するようになり、生理用吸収製品１の側方への経血の横漏れが生じにくくなる。
【００５５】
また起立壁１２ａ，１２ｂの内部に設けられた親水性材料層を、吸収層３に比べて薄いものとし、または吸収層３よりも軟質なものとすれば、親水性材料層が起立壁１２ａ，１２ｂの撓みを妨げにくくなり、立体壁の肌への当りを軟質にできる。
【００５６】
図６は本発明の実施の形態の生理用吸収製品１Ａを示す斜視図であり、図７は図６のＶＩＩ−ＶＩＩ線の断面図、図８は図６のＶＩＩＩ−ＶＩＩＩ線の断面図、図９および図１０は、参考例を示す図７の断面図に相当する断面図である。
【００５７】
図６および図７に示す実施の形態では、図１に示すのと同じ大きさの裏面層２の上に吸収層３が設置されている。そして縦方向の中心線Ｏ−Ｏを挟んで一方の側では、第１の透液性シート２１が、生理用吸収製品１Ａの一方の側縁１ａから前記中心線Ｏ−Ｏの付近まで延び、第２の透液性シート２２が、他方の側縁１ｂから中心線Ｏ−Ｏの付近まで延びている。
【００５８】
前記第１の透液性シート２１と第２の透液性シート２２は二つ重ねに折られており、前記中心線Ｏ−Ｏの付近の第１の固定端３１ａと第２の固定端３１ｂで、前記両透液性シート２１と２２が吸収層３の表面に接合されている。前記固定端３１ａ，３１ｂでは、前記両シート２１，２２と前記吸収層３とが、中心線Ｏ−Ｏと平行な縦方向に沿って連続線または間欠線で接着され、または熱融着されている。
【００５９】
前記二枚重ねに折られた第１の透液性シート２１は、前記吸収層３の側縁３ａから第１の固定端３１ａにおいて表面層３を覆う部分が表面層２１ａとなっており、前記吸収層３の側縁３ａから外方へ延びる部分が延長部２１ｂとなっている。前記裏面層２の前記側縁３ａから外方へ延びる延長部２ａと前記延長部２１ｂとがホットメルト型接着剤で接着されて側部フラップ５が形成されている。
【００６０】
同様に、第２の透液性シート２２も、吸収層３の側縁３ｂと第２の固定端３１ｂとの間で吸収層３を覆う表面層２２ａが形成されており、側部フラップ５において、裏面層２の延長部２ａと、第２の透液性シート２２の延長部２２ｂとがホットメルト型接着剤で接着されている。さらに図６に示す前後フラップ６，６において、第１の透液性シート２１および第２の透液性シート２２と、裏面層２とが接着されている。
【００６１】
そして前記第１の固定端３１ａから立ち上がる第１の透液性シート２１によって第１の立体壁３０Ａが形成されており、第２の固定端３１ｂから立ち上がる第２の透液性シート２２によって第２の立体壁３０Ｂが形成されている。前記第１の立体壁３０Ａと第２の立体壁３０Ｂは、中心線を挟んで左右対称形状であり、第１の固定端３１ａと第２の固定端３１ｂからそれぞれ立ち上がる起立壁３２ａ，３２ｂと、その上端から左右両側に曲げられた肌当接部３４ａ，３４ｂとが形成されている。
【００６２】
前記起立壁３２ａと３２ｂは互いに接着されている。また、肌当接部３４ａは、第１の固定端３１ａよりも側縁３ａ側に位置する自由端３３ａを有し、肌当接部３４ｂは、第２の固定端３１ｂよりも側縁３ｂ側に位置する自由端３３ｂを有している。
【００６３】
図８に示すように、生理用吸収製品１Ａの前後端部（図6の立体壁３０Ａ，３０Ｂの前後端部３０ｃ，３０ｄよりも外側）では、前記第１の透液性シート２１と第２の透液性シート２２とに、中心線Ｏ−Ｏを挟んで互いに逆向きに折り畳まれた折り畳み部２１ｃ，２２ｃが形成されており、その全体が吸収層３または裏面層２の上に接着剤で接合されている。
【００６４】
前記第１の透液性シート２１と第２の透液性シート２２には、縦方向に延びる複数の弾性部材３５が設けられている。よって、第１の立体壁３０Ａと第２の立体壁３０Ｂの前端３０ｃおよび後端３０ｄが、前記弾性部材３５の弾性収縮力により引き合い、生理用吸収製品１Ａが湾曲して、前記第１の立体壁３０Ａと第２の立体壁３０Ｂが、表面層２１ａ，２２ａから離れる方向へＴ字形状で立ち上がっている。
【００６５】
この実施の形態では、裏面層２に設けられた粘着層を下着に固着させて着用したときに、第１の立体壁３０Ａと第２の立体壁３０Ｂが、図２、図４および図５に示す立体壁１０，１０Ａ，１０Ｂと実質的に同じように機能し、肌当接部３４ａ，３４ｂが身体の局部に密着し、裏面層２が動いても、肌当接部３４ａ，３４ｂと局部との密着性が維持しやすい。
【００６６】
前記肌当接部３４ａ，３４ｂは透液性シートで形成されているため、肌当接部３４ａ，３４ｂに与えられた経血が、肌当接部３４ａ，３４ｂを透過し、起立壁３２ａ，３２ｂを伝わって吸収層３に吸収される。
【００６７】
次に、図９に示す参考例では、前記吸収層３の上に透液性シート２３が設置されており、前記透液性シート２３のうちの吸収層３を覆う部分が表面層２３ａとされ、吸収層３の側縁３ａ，３ｂから左右外側へ延びる部分が延長部２３ｂ，２３ｂとなっている。そして側部フラップ５，５では、前記裏面層２の延長部２ａ，２ａと前記延長部２３ｂ，２３ｂとがホットメルト型接着剤で接着されている。
【００６８】
前記透液性シート２３の上に第１の透液性シート２１と第２の透液性シート２２が、それぞれ二枚重ねに折られた状態で設置されている。第１の透液性シート２１は、生理用吸収製品１Ａの側縁１ａから表面層２３ａの上まで延び、中央部において、固定端３１ａから立ち上がる第１の立体壁３０Ｃを形成している。また第２の透液性シート２２は、生理用吸収製品１Ａの側縁１ｂから表面層２３ａの上まで延び、中央部において、固定端３１ｂから立ち上がる第２の立体壁３０Ｄを形成している。前記第１の立体壁３０Ｃは起立壁３２ａと肌当接部３４ａとを有し、第２の立体壁３Ｄも起立壁３２ｂと肌当接部３４ｂを有している。またそれぞれの立体壁３０Ｃ，３０Ｄには縦方向に延びる弾性部材３６が設けられている。
【００６９】
そして、図９に示すものでは、第１の固定端３１ａと第２の固定端３１ｂとの間に距離Ｗ２が開けられて、それぞれ第１の固定端３１ａと第２の固定端３１ｂとが中心線Ｏ−Ｏを挟んで対称な位置に形成されている。
【００７０】
図１０に示す参考例では、吸収層３の上に透液性シート２３が設置されて、吸収層３を覆う表面層２３ａが形成されており、その上に第１の透液性シート２１により第１の立体壁３０Ｅが形成され、第２の透液性シート２２により第２の立体壁３０Ｆが形成されている。それぞれの立体壁３０Ｅと３０Ｆは、起立壁３２ａ，３２ｂと肌当接部３４ａ，３４ｂを有している。
【００７１】
前記立体壁３０Ｅと３０Ｆでは、肌当接部３４ａ，３４ｂに縦方向に延びる弾性部材３６が取付けられているが、起立壁３２ａ，３２ｂにも弾性部材３７が取付けられ、その結果、両立体壁３０Ｅと３０Ｆは、中心線Ｏ−Ｏを挟んで対称形状で、共にΣ形状の断面となるように立ち上がっている。
【００７２】
図１０に示す参考例では、生理用吸収製品１Ａの前後端部において、第１の透液性シート２１と第２の透液性シート２２がそれぞれΣ形状を上下に潰した偏平状態に折り畳まれ、折り畳まれた各シート２１と２２が、透液性シート２３の表面に全面的に接着されている。このようにすると弾性部材３６と３７の弾性収縮力で生理用吸収製品１Ａが湾曲したときに、第１の立体壁３０Ｅと、第２の立体壁３０Ｆが、Σ形状の断面となるように立ち上がることができる。
【００７３】
図９と図１０に示す参考例では、裏面層２に設けられた粘着層を下着に固着して着用したときに、それぞれの肌当接部３４ａ，３４ｂが身体の局部に密着し、下着とともに裏面層２が動いたときに、肌当接部３４ａ，３４ｂと局部との密着性が維持できる。しかも両側の立体壁の肌当接部３４ａと肌当接部３４ｂとが互いに独立した挙動を示すために、それぞれの肌当接部３４ａ，３４ｂが個別に局部に密着できる。したがって裏面層２が動いたり、肌から離れたりしても、肌当接部３４ａ，３４ｂと局部とが密着した状態に維持される。
【００７４】
また図１０に示すものでは、それぞれの立体壁３０Ｅと３０ＦがΣ形状であるため、立体壁が肌との当接圧力で圧縮されたときに、弾性復元力が高くなり、肌当接部３４ａ，３４ｂと局部との密着性がさらによくなる。
【００７５】
図１１に示すものは参考例を示す断面図である。
【００７６】
図１１に示すものは、外面に粘着層を有する裏面層２の上に吸収層３が設置され、その上に透液性シート２３が設置されており、前記透液性シート２３の一部が吸収層３の表面を覆う表面層２３ａとなっている。そして前記透液シート２３の上に二枚重ねに折られた透液性シート４１が設置されている。
【００７７】
前記透液性シート４１は、縦方向に延びる帯状であり、少なくとも図６に示すＬ１の領域において、縦方向に延びる中心部が、前記表面層２３ａを形成する透液性シート２３の表面に、直線または間欠線状に接着されまたは溶着されて、固定端４２が形成されている。
【００７８】
そして固定端４２を挟んで一方の側に第１の立体壁３０Ｇが、他方の側に第２の立体壁３０Ｈが、それぞれ対称形状に形成されている。前記第１の立体壁３０Ｇには起立壁４３ａと肌当接部４４ａが形成され、第２の立体壁３０Ｈには、起立壁４３ｂと肌当接部４４ｂが形成されている。そして前記透液性シート４１には、縦方向に延びる複数の弾性部材４６が取付けられている。
【００７９】
生理用吸収製品１Ａの前後端部では、前記透液性シート４１の全面が表面層２３ａを形成する透液性シート２３に接着されている。
【００８０】
前記弾性部材４６の弾性収縮力で、生理用吸収製品全体が湾曲する結果、前記第１と第２の立体壁３０Ｇと３０Ｈは、その自由端４５ａ，４５ｂが透液性シート２３から離れるように立ち上がっている。
【００８１】
この参考例においても、前記第１と第２の立体壁３０Ｇ，３０Ｈの肌当接部４４ａ，４４ｂが、互いに個別に挙動し、弾性的に身体の局部に密着できるようになる。
【００８２】
前記実施の形態および参考例において、肌当接部の両側の自由端間の幅寸法Ｗ３（図４と図５ではＷ３の表示を省略している）は、１０〜６０ｍｍの範囲、好ましくは２０〜５０ｍｍの範囲、さらに好ましくは３０〜５０ｍｍの範囲で設けられる。また、吸収層３の側縁３ａと側縁３ｂとの幅寸法Ｗ１（図４、図５、図７、図１１ではＷ１の表示を省略している）に対して、前記Ｗ３は、２０％〜７０％の範囲に設けられることが好ましい。肌当接部の自由端間の幅寸法を前記範囲内とすると、立体壁の肌当接部が身体の局部に密着しやすくなる。
【００８３】
また、前記実施の形態または参考例において、立体壁の２つの起立壁の立上り起点となる固定端間の距離Ｗ２は、０〜４０ｍｍが好ましく、さらには０〜４０ｍｍが好ましく、最も好ましくは０〜２０ｍｍであり、前記Ｗ２と吸収層３の幅寸法Ｗ１との比Ｗ２／Ｗ１は１／２以下が好ましい。この範囲であれば、立体壁の肌当接部の自由端間の距離を前記好ましい範囲に設定できる。
【００８４】
また図１と図６において前記立体壁が形成される領域での縦方向の長さＬ，Ｌ１は、１５０〜４００ｍｍの範囲で形成され、好ましくは、２００〜３６０ｍｍの範囲で形成される。
【００８５】
さらに固定端から、立体壁の立上り高さは、５〜５０ｍｍ、好ましくは１０〜４０ｍｍ、さらに好ましくは１０〜２５ｍｍの範囲である。
【００８６】
次に前記実施の形態または参考例の生理用吸収製品１，１Ａは、女性器の陰唇内部へ挿入させて着用するものとして使用できる。
【００８７】
前記立体壁１０、１０Ａ、１０Ｂ、３０Ａ，３０Ｂ、３０Ｃ，３０Ｄ、３０Ｅ，３０Ｆ、３０Ｇ，３０Ｈの肌当接部を陰唇の内部に装着し、陰唇の閉じ力で前記立体壁を女性器に保持させ、これにより生理用吸収製品１，１Ａの全体が、女性器と一体感を有するように着用することができる。この場合、裏面層２の外面には粘着層を設けず、裏面層２を下着の内面に固着させないものとすることが好ましい。
【００８８】
この装着方法であると、生理用吸収製品１，１Ａは女性器に保持された着用状態となり、下着が股間部に対して位置ずれしても、生理用吸収製品１，１Ａが女性器から位置ずれしにくい。
【００８９】
経血は最初に立体壁の肌当接部によって受け止められるが、経血は肌当接部を透過し、起立壁を伝わって吸収層３に吸収される。また図４に示すように肌当接部に親水性材料層１５が設けられていると、この親水性材料層１５でも経血の吸収能力を若干有するようになり、前記親水性材料層１５で吸収しきれなかった経血が、その下に位置する吸収層３で吸収されるようになる。
【００９０】
立体壁の肌当接部が、陰唇間で保持されやすいようにするためには、図７、図９、図１０、図１１に示す実施の形態または参考例のように、対称形状のそれぞれの肌当接部が独立しており、対を成す肌当接部が独立して陰唇間に保持されるものが好ましい。特に図９、図１０、図１１に示すように、第１の立体壁と第２の立体壁が横方向へ少し離れて位置し、互いに独立して挙動できるものであると、肌当接部を陰唇内に保持しやすくなる。
【００９１】
前記図７、図９、図１０、図１１に示す実施の形態または参考例においても、各立体壁の肌当接部内に図４に示す親水性材料層１５と同じ親水性材料層が設けられた構造であってもよい。肌当接部内に前記親水性材料層を設けると、肌当接部の厚さが増してある程度の剛性を発揮できるようになり、肌当接部を陰唇間で保持したときに、前記陰唇間から離れにくくなる。さらに、図７の実施の形態において、起立壁３２ａと３２ｂの間に前記親水性材料層１５と同じ薄い親水性材料層を挟んでもよいし、図７、図９、図１０、図１１に示す実施の形態または参考例における起立壁３２ａ，３２ｂまたは４３ａ，４３ｂのそれぞれを形成する２枚重ねのシートの間に前記薄い親水性材料層を挟んでもよい。
【００９２】
また立体壁が陰唇間で保持される生理用吸収製品は、従来の下着へ固着する生理用ナプキンよりも全体の寸法を小さくできる。全体の寸法が小さくても、女性器と吸収層３との位置ずれが生じにくいために、経血の横漏れを防止しやすい。さらに裏面層２を吸収層３よりも十分に大きくする必要は無く、裏面層２と吸収層３をほぼ同じ大きさにすることもできる。または前記左右の側部フラップ５，５と前後フラップ６，６をそれぞれ幅が５ｍｍ以下さらには３ｍｍ以下の細幅にでき、これにより生理用吸収製品全体を小さくできる。
【００９３】
立体壁の肌当接部が陰唇間に保持しやすくするためには、肌当接部の自由端間の幅寸法Ｗ３は２０〜４０ｍｍ、立体壁が形成される領域の縦方向の長さＬ、Ｌ１は５０〜７０ｍｍが好ましい。さらに図６に示す製品全体の長さは、Ｌ０が８０〜１２０ｍｍ、幅寸法Ｗ０が４０〜６０ｍｍ程度の比較的小さいものにできる。
【００９４】
次に各部材の構成材料を説明する。
前記裏面層２は、ＰＥ等の樹脂を主成分としたフィルム、前記フィルムと紙または、フィルムと不織布とを貼り合わせたラミネート素材などの不透液性シートで形成される。あるいは、前記裏面層２が、無機充填剤を含有した樹脂シートを一部でもしくは全面で延伸し、多孔質化させた透湿性樹脂シートであることが好ましい。
【００９５】
前記裏面層２の外面に、下着などの外部装着体などに掛止させるための粘着層が設けられる場合には、前記粘着層は、生理用吸収製品の製品長さ方向へ縦長に配置される。また前記粘着層を用いる場合には、その表面に使用時まで前記粘着層を保護するための離型紙が設けられることが好ましい。
【００９６】
前記吸収層３は、綿状パルプの積層体、ティッシュペーパの積層体、エアレイドパルプ、あるいは熱融着繊維を混合させたエアレイド不織布、または親水性処理を施した発泡シート、セルロース発泡シート、高吸水性ポリマーを混合したシートなどから構成される。前記高吸水性ポリマーの材料としては、アクリル酸を主成分とした重合物、デンプン／アクリル酸のグラフト重合物、デンプン、カルボキシルメチルセルロース等から選択される粒状物もしくは繊維状物などがある。
【００９７】
前記吸収層３は、ＪＩＳ  Ｌ  １０９６に基づく４５度カンチレバー法による剛軟度測定試験において、その測定値が５〜７０ｍｍの範囲内であることが好ましい。この範囲内であれば、前記吸収層３がねじれるように変形するのを防止でき、また着用者に過剰な硬質感を与えることもない。なお、前記剛軟度をこの範囲内とする際には、前記吸収層に対し、圧搾条溝による機械的な圧力を加えて補ってもよい。
【００９８】
また、前記吸収層３の厚さ寸法は、１．０〜５．０ｍｍであることが好ましい。
【００９９】
図５に示す表面層１７ａを形成する透液性シート１７、図９ないし図１１に示す表面層２３ａを形成する透液性シート２３には、例えばエアレイドパルプのように湿潤強度を有する吸収素材を用いてもよく、または液透過性材料である開孔プラスチックフィルム、あるいは親水性処理を施した疎水性合成樹脂繊維で構成された不織布、開孔不織布などを用いてもよい。
【０１００】
また前記各実施の形態または参考例の立体壁１０，１０Ａ，１０Ｂ，３０Ａ，３０Ｂ，３０Ｃ，３０Ｄ，３０Ｅ，３０Ｆを形成する透液性シート（液透過性材料）としては、嵩高感に富み、液体の残存性が低いスルーエア不織布、または液体の遮蔽性効果が高い開孔プラスチックフィルムなどである。例えば前記スルーエア不織布は、芯鞘構造の複合繊維により構成され、目付けが２０〜４０ｇ／ｍ2の範囲内であり、厚さ寸法が０．３〜１．５ｍｍの範囲内であることが好ましい。また、開孔プラスチックフィルムであれば、目付けは２０〜３５ｇ／ｍ2の範囲内であり、密度が０．９０×１０6〜０．９３×１０6ｇ／ｃｍ3の範囲内であるオレフィン系樹脂から構成されることが好ましい。このとき、前記開孔プラスチックフィルムの表面開孔率は、３０〜７０％の範囲内であることが好ましい。このとき、孔部の形状は丸、ひし形、多角形などであっても良く、特にその形状を限定されるものではない。さらに、前記孔部の各面積や配列様式なども同様に特に限定されるものではない。
【０１０１】
その他の立体壁を形成する透液性シート（液透過性材料）としては、ポイントボンド不織布、スパンレース不織布、エアレイド不織布等であってもよい。これらの不織布は、前記複合繊維の他にビスコースレーヨン、アセテートレーヨン等の再生セルロース繊維や天然セルロース繊維を混合したものであっても良い。さらに、スパンボンド不織布、メルトブローン不織布などでも良い。
【０１０２】
前記開孔プラスチックフィルムや不織布は、単体として使用しても良く、あるいは同じものを複数枚重ね合わせても良く、更には異なる種類のものを重ね合わせて使用しても良い。
【０１０３】
なお、本発明では、各立体壁の肌当接部の上面が液透過性材料で形成されていればよく、起立壁は液不透過性の疎水性素材や撥水性素材で形成されていてもよい。前記立体壁では、局部に密着する肌当接部が透液性であれば、肌当接部を透過した経血が前記液不透過性の素材に沿って吸収層に導かれるようになる。この場合、立体壁が形成されていない領域では、吸収層の表面に透液性の表面層が形成されていることが好ましい。
【０１０４】
【発明の効果】
以上に説明したように、本発明の生理用吸収製品では、中央部に設けられた透液性の立体壁が局部に弾性的に密着するため、裏面層を下着に固着させて着用した場合に、下着とともに裏面層が動いて、吸収層が設けられた吸収領域が肌からずれたり離れたりしても、立体壁と局部との密着により経血を確実に吸収層に導くことができ、生理用吸収製品からの経血の横漏れを有効に防止できるようになる。
【０１０５】
また、前記立体壁を女性器の陰唇間に保持させるようにして、生理用吸収製品を女性器に一体感を与えるように着用させることも可能である。この場合、生理用吸収製品が女性器から離れたり位置ずれしにくくなり、経血の横漏れを防止しやすくなる。
【図面の簡単な説明】
【図１】参考例の生理用吸収製品を示す斜視図、
【図２】図１のＩＩ−ＩＩ線の断面図、
【図３】図１のＩＩＩ−ＩＩＩ線の断面図、
【図４】参考例を示す図２に相当する断面図、
【図５】参考例を示す図２に相当する断面図、
【図６】本発明の実施の形態を示す斜視図、
【図７】図６のＶＩＩ−ＶＩＩ線の断面図、
【図８】図６のＶＩＩＩ−ＶＩＩＩ線の断面図、
【図９】参考例を示す図７に相当する断面図、
【図１０】参考例を示す図７に相当する断面図、
【図１１】参考例を示す図７に相当する断面図、
【符号の説明】
１，１Ａ  生理用吸収製品
１ａ，１ｂ  生理用吸収製品の両側縁
２  裏面層
２ａ  裏面層の延長部
３  吸収層
３ａ，３ｂ  吸収層の両側縁
５  側部フラップ
６  前後フラップ
８  透液性シート
８ａ  表面層
８ｂ  延長部
１０，１０Ａ，１０Ｂ  立体壁
１１ａ  第１の固定端
１１ｂ  第２の固定端
１２ａ，１２ｂ  起立壁
１２ｃ，１２ｄ  自由端
１２ｅ  肌当接部
１３，１４  弾性部材
１５  親水性材料層
１７  透液性シート
１７ａ  表面層
１８  透液性シート
２１  第１の透液性シート
２１ａ  表面層
２２  第２の透液性シート
２２ａ  表面層
３０Ａ，３０Ｃ，３０Ｅ，３０Ｇ  第１の立体壁
３０Ｂ，３０Ｄ，３０Ｆ，３０Ｈ  第２の立体壁
３１ａ  第１の固定端
３１ｂ  第２の固定端
３２ａ，３２ｂ  起立壁
３３ａ，３３ｂ  自由端
３４ａ，３４ｂ  肌当接部
４１  透液性シート
４２  固定端
４３ａ，４３ｂ  起立壁
４４ａ，４４ｂ  肌当接部
４５ａ，４５ｂ  自由端
【図１】
0004017839.tif 000002
【図２】
0004017839.tif 000003
【図３】
0004017839.tif 000004
【図４】
0004017839.tif 000005
【図５】
0004017839.tif 000006
【図６】
0004017839.tif 000007
【図７】
0004017839.tif 000008
【図８】
0004017839.tif 000009
【図９】
0004017839.tif 000010
【図１０】
0004017839.tif 000011
【図１１】
0004017839.tif 000012